(57)【要約】  【課題】別部品を使わず、複数の器体を固定することで、低騒音で、安価な密閉型圧縮機用樹脂製部品及びこれを備えた密閉型圧縮機を提供するとともに、密閉型圧縮機用樹脂製部品の製造方法を提供する。  【解決手段】密閉容器１０３内に冷凍機油１０９と冷媒が封入され、電動要素１０５と圧縮要素１０７とを備えた電動圧縮要素１０８が密閉容器１０３内に収容された密閉型圧縮機１００に用いられる密閉型圧縮機用樹脂製部品１４０であって、電動圧縮要素１０８の少なくとも一部に用いられ、複数の樹脂製部材をレーザー溶着にて接合して一体に形成された樹脂製組成物とするもので、気密性が高くて安価な密閉型圧縮機用樹脂製部品１４０を提供することができる。【選択図】図１
2010116903.tif 000002
【特許請求の範囲】
【請求項１】
密閉容器内に冷凍機油と冷媒が封入され、電動要素と圧縮要素とを備えた電動圧縮要素が前記密閉容器内に収容された密閉型圧縮機に用いられる密閉型圧縮機用樹脂製部品であって、前記電動圧縮要素の少なくとも一部に用いられ、複数の樹脂製部材をレーザー溶着にて接合して一体に形成された樹脂製組成物である密閉型圧縮機用樹脂製部品。
【請求項２】
樹脂組成物は、冷媒を圧縮要素の圧縮室へ導く吸入マフラーとして用いられる請求項１に記載の密閉型圧縮機用樹脂製部品。
【請求項３】
複数の器体の少なくともひとつは、厚さ２ｍｍに対するレーザー透過率が１０％以上である樹脂製組成物である請求項１または２に記載の密閉型圧縮機用樹脂製部品。
【請求項４】
レーザー溶着に用いられるレーザーの波長は、７００ｎｍ以上である請求項１から３のいずれか一項に記載の密閉型圧縮機用樹脂製部品。
【請求項５】
樹脂組成物は、ポリブチレンテレフタレートである請求項１から４のいずれか一項に記載の密閉型圧縮機用樹脂製部品。
【請求項６】
内部に冷凍機油と冷媒が封入された密閉容器と、前記密閉容器内に収納され、電動要素と圧縮要素とを備えた電動圧縮要素とを具備する密閉型圧縮機であって、前記電動圧縮要素の少なくとも一部に用いられ、複数の樹脂製部材をレーザー溶着にて接合して一体に形成された樹脂製組成物である密閉型圧縮機用樹脂製部品を備えた密閉型圧縮機。
【請求項７】
密閉型圧縮機用樹脂製部品は、冷媒を圧縮要素の圧縮室へ導く吸入マフラーとして用いられる請求項６に記載の密閉型圧縮機。
【請求項８】
密閉容器内に冷凍機油と冷媒が封入され、電動要素と圧縮要素とを備えた電動圧縮要素が前記密閉容器内に収容された密閉型圧縮機に用いられる密閉型圧縮機用樹脂製部品の製造方法であって、前記電動圧縮要素の少なくとも一部に用いられ、複数の樹脂製部材をレーザー溶着にて接合して一体に形成するステップを有する密閉型圧縮機用樹脂製部品の製造方法。
【発明の詳細な説明】
【技術分野】
【０００１】
本発明は密閉型圧縮機に使用される樹脂製組成物である密閉型圧縮機用樹脂製部品に関するものであり、これを備えた密閉型圧縮機ならびに密閉型圧縮機用樹脂製部品の製造方法に関するものである。
【背景技術】
【０００２】
従来、この種の密閉型圧縮機用樹脂部品は、複数の器体をクランプなどの弾性変形を利用して固定するものがあった（例えば、特許文献１参照）。
【０００３】
以下、図面を参照しながら上記従来の密閉型圧縮機用樹脂部品を備えた密閉型圧縮機を説明する。
【０００４】
図４は、特許文献１に記載された従来の吸入マフラーの要部拡大断面図、図５は従来の吸入マフラーの分解斜視図である。
【０００５】
図４および図５おいて、吸入マフラー１は樹脂成型部品からなる第１の器体２、第２の器体３、第３の器体４、第４の器体５から構成されており、第２、第３の器体を第４の器体に挿入し、第１の器体と第４の器体を嵌合させた後に第１の器体２に設けたラグ６ａ，６ｂにクランプ７ａ，７ｂとで固定されている。
【特許文献１】特表２００４−５２９２８９号公報
【発明の開示】
【発明が解決しようとする課題】
【０００６】
しかしながら上記従来の構成では、クランプ７ａ，７ｂにより固定しているため、嵌合部の気密性が悪く冷媒が漏れることにより騒音が発生する、また固定のためのクランプ７ａ，７ｂが必要なためコストがかかるという課題を有していた。
【０００７】
本発明は、上記従来の課題を解決するもので、気密性が高く、安価な密閉型圧縮機用樹脂製部品及び密閉型圧縮機用樹脂製部品を備えた圧縮機を提供するとともに、安価な密閉型圧縮機用樹脂製部品の製造方法を提供することを目的とする。
【課題を解決するための手段】
【０００８】
上記従来の課題を解決するために本発明の密閉型圧縮機用樹脂製部品は、複数の器体をレーザー溶着することで、気密性が高く騒音を低減でき、固定のための部品を必要としないという作用を有する。
【０００９】
また、気密性が高騒音を低減でき、固定のための部品を必要としない密閉型圧縮機用樹脂製部品を備え、安価で騒音の低い密閉型圧縮機とすることができる。
【００１０】
また、気密性が高騒音を低減でき、固定のための部品を必要としない密閉型圧縮機用樹脂製部品を製造することができる。
【発明の効果】
【００１１】
本発明の密閉型圧縮機用樹脂製部品は、複数の器体をレーザー溶着することにより、気密性が高く、安価な密閉型圧縮機用樹脂製部品を提供することができる。
【００１２】
また、気密性が高騒音を低減でき、固定のための部品を必要としない密閉型圧縮機用樹脂製部品を備え、安価で騒音の低い密閉型圧縮機を提供することができる。
【００１３】
また、気密性が高騒音を低減でき、固定のための部品を必要としない密閉型圧縮機用樹脂製部品を製造方法を提供することができる。
【発明を実施するための最良の形態】
【００１４】
請求項１に記載の発明は、密閉容器内に冷凍機油と冷媒が封入され、電動要素と圧縮要素とを備えた電動圧縮要素が前記密閉容器内に収容された密閉型圧縮機に用いられる密閉型圧縮機用樹脂製部品であって、前記電動圧縮要素の少なくとも一部に用いられ、複数の樹脂製部材をレーザー溶着にて接合して一体に形成された樹脂製組成物とするもので、気密性が高くて安価な密閉型圧縮機用樹脂製部品を提供することができる。
【００１５】
請求項２に記載の発明は、請求項１に記載の発明において、樹脂組成物は、冷媒を圧縮要素の圧縮室へ導く吸入マフラーとして用いられるもので、請求項１に記載の発明の効果に加えてさらに、安価で圧縮機の騒音を低減できる密閉型圧縮機用樹脂製部品を提供することができる。
【００１６】
請求項３に記載の発明は、請求項１または２に記載の発明において、複数の器体の少なくともひとつは、厚さ２ｍｍに対するレーザー透過率が１０％以上である樹脂製組成物とするもので、請求項１または２に記載の発明の効果に加えてさらに、気密性が高い密閉型圧縮機用樹脂製部品を提供することができる。
【００１７】
請求項４に記載の発明は、請求項１から３のいずれか一項に記載の発明において、レーザー溶着に用いられるレーザーの波長は、７００ｎｍ以上とするもので、請求項１から３のいずれか一項に記載の発明の効果に加えてさらに、安価な密閉型圧縮機用樹脂製部品を提供することができる。
【００１８】
請求項５に記載の発明は、請求項１から４のいずれか一項に記載の発明において、樹脂組成物は、ポリブチレンテレフタレートとするもので、請求項１から４のいずれか一項に記載の発明の効果に加えてさらに、信頼性が高い密閉型圧縮機用樹脂製部品を提供することができる。
【００１９】
請求項６に記載の発明は、内部に冷凍機油と冷媒が封入された密閉容器と、前記密閉容器内に収納され、電動要素と圧縮要素とを備えた電動圧縮要素とを具備する密閉型圧縮機であって、前記電動圧縮要素の少なくとも一部に用いられ、複数の樹脂製部材をレーザー溶着にて接合して一体に形成された樹脂製組成物である密閉型圧縮機用樹脂製部品を備えたもので、低騒音で安価な密閉型圧縮機を提供することができる。
【００２０】
請求項７に記載の発明は、請求項６に記載の発明において、密閉型圧縮機用樹脂製部品は、冷媒を圧縮要素の圧縮室へ導く吸入マフラーとして用いるもので、吸入マフラーの気密性が高く騒音の漏れを低減できるため、請求項６に記載の発明の効果に加えてさらに、低騒音で安価な密閉型圧縮機を提供することができる。
【００２１】
請求項８に記載の発明は、密閉容器内に冷凍機油と冷媒が封入され、電動要素と圧縮要素とを備えた電動圧縮要素が前記密閉容器内に収容された密閉型圧縮機に用いられる密閉型圧縮機用樹脂製部品の製造方法であって、前記電動圧縮要素の少なくとも一部に用いられ、複数の樹脂製部材をレーザー溶着にて接合して一体に形成するステップを有する密閉型圧縮機用樹脂製部品の製造方法とするもので、気密性が高くて安価な密閉型圧縮機用樹脂製部品を提供することができる。
【００２２】
以下、本発明の実施の形態について、図面を参照しながら説明する。尚、この実施の形態によってこの発明が限定されるものではない。
【００２３】
（実施の形態１）
図１は、本発明の実施の形態１における密閉型圧縮機の縦断面図、図２は同実施の形態における密閉型圧縮機の要部拡大図であり吸入マフラーの正面図である。また図３は、図２の分解図である。
【００２４】
図１および図２において、密閉型圧縮機１００は、上容器１０１と下容器１０２を嵌合させて全周溶接にて密封した密閉容器１０３を備え、密閉容器１０３内には、電動要素１０５とこの電動要素１０５により駆動される圧縮要素１０７とからなる電動圧縮要素１０８が複数のスプリング（図示せず）によって弾性的に保持され、下容器１０２の底部には冷凍機油１０９を貯留している。
【００２５】
圧縮要素１０７は、シリンダ１１０と軸受け部１１３を形成するブロック１１１とシリンダ１１０内に往復自在に嵌入されたピストン１１２と軸受け部１１３に軸支された主軸部１１５及びその下方に形成された偏芯部１１６からなるシャフト１１７と偏芯部１１６とピストン１１２を連結するコンロッド１１８を備えている。また、冷媒１０６をシリンダ１１０内に導く吸入マフラー１１９をシリンダーヘッド１２０にてシリンダ１１０の端面に固定している。
【００２６】
電動要素１０５は、ブロック１１１の上方に固定され、巻線１３０を施した固定子１３１と回転子１３２から構成されており、回転子１３２はシャフト１１７の主軸部１１５に焼嵌め等で固定されている。
【００２７】
樹脂製組成物である吸入マフラー１１９は密閉型圧縮機用樹脂製部品１４０であり、２つの樹脂製部材１４１ａ，１４１ｂである上マフラー１１９ａと下マフラー１１９ｂとからなり、レーザー波長７００ｎｍ以上のレーザーを用いてレーザー溶着にて一体に成型している。
【００２８】
また、上マフラー１１９ａの材料は厚さ２ｍｍに対するレーザー透過率が１０％以上であるポリブチレンテレフタレートを使用している。
【００２９】
以上のように構成された密閉型圧縮機について、以下その動作、作用を説明する。
【００３０】
電動要素１０５に通電されると、回転子１３２は回転しこれに伴ってシャフト１１７が回転し、偏芯部１１６の運動がコンロッド１１８を介してピストン１１２に伝わることでピストン１１２は圧縮室１１０内で往復運動を行い、冷媒１０６が吸入マフラー１１９からシリンダーヘッド１２０を経て圧縮室１１０内に導かれ圧縮要素１０７が所定の圧縮動作を行う。
【００３１】
ここで、上マフラー１１９ａと下マフラー１１９ｂをレーザー波長７００ｎｍ以上のレーザーを用いてレーザー溶着することで、一般的なレーザー溶着機が使用でき、安価に溶着し製造することができる。さらに、上マフラー１１９ａと下マフラー１１９ｂとを一体にするために別部品を使用する必要がなく、安価で高い気密性を得ることができる。
【００３２】
この作用により、低騒音で安価な吸入マフラーを提供することができる。
【００３３】
特に、上マフラー１１９ａの樹脂材料を厚さ２ｍｍに対するレーザー透過率が１０％以上であるポリブチレンテレフタレートとすることにより、確実なレーザー溶着ができ、信頼性の高い吸入マフラー１１９を提供することができる。
【００３４】
密閉型圧縮機１００における吸入マフラー１１９は、騒音を低減するものであり、吸入マフラー１１９を複数の部品を一体に組み立てて使用する場合、複数の部品間の隙間を無くし、吸入マフラー１１９内の騒音が密閉容器１０３内に漏れることを防止することが重要であり、上述した通り、樹脂製部材をレーザー溶着にて接合して一体に形成された樹脂製組成物の吸入マフラー１１９とすることで、これを実現することができる。
【００３５】
また、吸入マフラー１１９も構造体であるため、吸入マフラー１１９を複数の部品を一体に組み立てて使用する場合、複数の部品間において、構造体としての結合強度を必要とされるが、樹脂製部材をレーザー溶着することで、気密性と併せて強度を確保することができる。
【００３６】
また、密閉型圧縮機用樹脂製部品の製造方法として、密閉型圧縮機の電動圧縮要素の少なくとも一部に用いられ、複数の樹脂製部材をレーザー溶着にて接合して一体に形成するステップを有することで、上述した通りの優れた密閉型圧縮機用樹脂製部品を製造することができる。
【００３７】
なお、本実施の形態においては、密閉型圧縮機の吸入マフラーとして使用した例で説明したが、同様に密閉型圧縮機に用いる樹脂製組成物に適用することができることは言うまでもない。
【産業上の利用可能性】
【００３８】
以上のように本発明にかかる密閉型圧縮機用樹脂製部品は、複数の器体をレーザー溶着することにより、低騒音で安価な信頼性の高い密閉型圧縮機用樹脂製部品を提供することができるので、自販機、冷凍ショーケース、除湿機などの用途にも適用できる。
【図面の簡単な説明】
【００３９】
【図１】本発明の実施の形態１における密閉型圧縮機の縦断面図
【図２】同実施の形態における密閉型圧縮機の要部拡大図
【図３】図２の分解図
【図４】従来の吸入マフラーの要部拡大断面図
【図５】従来の吸入マフラーの分解斜視図
【符号の説明】
【００４０】
１００  密閉型圧縮機
１０３  密閉容器
１０５  電動要素
１０６  冷媒
１０７  圧縮要素
１０８  電動圧縮要素
１０９  冷凍機油
１１９  吸入マフラー
１４０  密閉型圧縮機用樹脂製部品
１４１ａ，１４１ｂ  樹脂製部材
１４２  圧縮室
【図１】
2010116903.tif 000003
【図２】
2010116903.tif 000004
【図３】
2010116903.tif 000005
【図５】
2010116903.tif 000006
【図４】
2010116903.tif 000007